(57)【要約】【課題】水と洗剤の使用量を激減させ、洗浄所要時間を大幅に短縮し、且つドライマーク衣料も水洗浄可能な泡洗浄式洗濯装置を提供する。【解決手段】ドラム型洗濯機２のドラム４の開口を覆う開閉扉５内側に、ドラム内に向けて流体噴射部２１，２２，２３を設け、流体噴射部２１，２２には、洗液ポンプ１４と製泡装置１５と泡送給管路１７を備えて洗液から生成した泡を供給する泡供給系統２０と、流水ポンプ３３と流水送給管路３２ａを備えた流水供給系統３０とを接続して洗濯装置１を構成する。なお、流体噴射部２３には空気供給手段４０を接続し、ドラム４の内周には突部を形成し、ドラム４は正逆転機能も備え、流体噴射部は拡散噴射可能となし、洗液や流水の系統には加熱装置７５，７７を備え、製泡装置１５にはオゾンガス供給手段５０も備え、洗液製造装置１１には電解液供給手段６０も備える、などの機能構成を付加するとよい。【選択図】　　　　図１
2004000537.tif 000002
【特許請求の範囲】
【請求項１】
側面に開口と下方に排水口を有するほぼ円筒形の外胴と、該外胴内に収容されて回転駆動可能に水平支持され且つ周壁には多数の透孔が設けられるとともに前記外胴の開口と対面する位置に開閉扉で覆われた開口を有してなるドラムと、該ドラムの可変速回転駆動手段と、前記開閉扉の内側に設けられ且つドラム内に向けて流体を噴射する一つ以上の流体噴射部とを備えてなるドラム型洗濯機を形成する一方、前記流体噴射部には、水に洗剤を溶解した洗液から生成した泡を供給する泡供給系統、および流水供給系統をそれぞれ接続して構成される泡洗浄式洗濯装置。
【請求項２】
前記泡供給系統には、水に洗剤等を溶解した洗液を送出する流量制御機能付き洗液送出手段と、該洗液送出手段から送出される洗液と空気を混合して泡を生成する製泡装置と、該製泡装置から前記流体噴射部に至る泡送給管路とを有する一方、前記流水供給系統には、流量制御機能付き流水供給手段と、該流水供給手段から前記流体噴射部に至る流水送給管路とを有する構成からなる、請求項１に記載の泡洗浄式洗濯装置。
【請求項３】
前記外胴の開口と前記ドラムの開口とは互いの開口中心がドラムの回転中心線上にほぼ一致するように形成され、且つ、ドラムの開閉扉は前記外胴に取り付けるとともに、該開閉扉が閉じた状態ではドラムの開口を僅かな隙間を隔てて覆う形態とするかまたは可撓性シール部材を介して覆う形態となす一方、前記泡供給系統および流水供給系統の泡および流水の送給管路は、前記開閉扉で支持され且つ該開閉扉を貫通して前記流体噴射部に接続した構成からなる、請求項１または２に記載の泡洗浄式洗濯装置。
【請求項４】
前記ドラム型洗濯機のドラムは、周壁が円筒形をなし、且つその周壁内には内方に突出する一つ以上の突部が形成されてなる、請求項１から３のいずれかに記載の泡洗浄式洗濯装置。
【請求項５】
前記ドラム型洗濯機のドラムの可変速回転駆動手段が、低速回転動作時に正転と逆転を交互に繰り返す機能を備えてなる、請求項１から４のいずれかに記載の泡洗浄式洗濯装置。
【請求項６】
前記泡供給系統と流水供給系統の流体噴射部先端が、流体の拡散供給が可能に形成されてなる、請求項１から５のいずれかに記載の泡洗浄式洗濯装置。
【請求項７】
前記ドラム型洗濯機には、ドラム内に大気圧以上の空気を供給する空気供給手段を備えてなる、請求項１から６のいずれかに記載の泡洗浄式洗濯装置。
【請求項８】
前記泡供給系統と流水供給系統の少なくとも泡供給系統には、その系統内に供給流体の加熱手段を備えてなる、請求項１から７のいずれかに記載の泡洗浄式洗濯装置。
【請求項９】
前記製泡装置には、泡生成用気体を供給する手段として、空気供給手段のほか、オゾンガス供給手段を備えてなる、請求項２から８のいずれかに記載の泡洗浄式洗濯装置。
【請求項１０】
前記洗液送出手段には洗液製造装置を備えるとともに、該洗液製造装置の洗液製造部には電解液供給手段を接続し、電解液または電解液を混入した水に洗剤を溶解させて生成した洗液を製泡装置に送給するように構成してなる、請求項２から９のいずれかに記載の泡洗浄式洗濯装置。
【請求項１１】
前記ドラム型洗濯機には外胴の排水口に開閉手段を備える一方、流水供給系統に洗剤混入手段を設けるか、または泡供給系統に製泡装置を迂回する迂回路を設けてなる、請求項２から１０のいずれかに記載の泡洗浄式洗濯装置。
【発明の詳細な説明】
【０００１】
【発明の属する技術分野】
本発明は、洗濯装置の技術に係わり、更に詳しくは、洗濯物を攪拌しつつ、この洗濯物に、水に洗剤を溶解した洗液から生成した泡を供給して付着させ、この泡の洗浄作用により洗濯物荷付着した汚れ成分を解離、溶解させ、つぎに洗濯物に回転遠心力を作用させて遠心力の作用で流水を透過させ、解離、溶解した汚れ成分を押し流して除去する泡洗浄式洗濯装置に関する。
【０００２】
【従来の技術】
従来、例えばドラム型洗濯機を用いる洗濯方法では、ドラム内に洗濯物を入れ、このドラム内に洗液を満たし、ドラムの正転と逆転とを交互に繰り返しつつ洗濯物を洗液中で一定時間攪拌させて洗浄を行い、この洗浄後に汚濁洗液の排水とドラムの高速回転遠心力作用による中間脱水を行い、つぎに前記ドラム内に濯ぎ水を注入してドラムを低速回転させて一次濯ぎを行い、再び前記と同様に濯ぎ水の排水と中間脱水を行い、更に再度濯ぎ水を注入してドラムを低速回転させて二次濯ぎを行い、最後に濯ぎ水の排水とドラムの高速回転による脱水を行って洗浄の全工程を終了する。この洗浄工程は図４（ｂ）に示すとおりである。
【０００３】
即ち、前記従来の洗濯方法は、多量の洗液を使用する洗浄工程（運転時間約１０分）と、多量の水を使用する２回の濯ぎ工程（中間脱水を含む合計運転時間約１４分）と、脱水工程（運転時間約５分）などからなり、水と洗剤の消費量が多く、また全体の工程所要時間が約２９分と長時間を要している。更に、多量の洗液を含んで非常に重くなった洗濯物が、洗浄工程と濯ぎ工程のドラムの回転攪拌作用でドラム内壁に落下衝突を繰り返し、その衝撃が洗濯物の生地を傷めたり生地の伸び縮みや型くずれを生ずる原因となっている。つまり従来の洗濯方法では、高濃度で多量の排水が環境汚染の原因となり、且つ、洗濯に時間がかかるばかりでなく、衝撃作用で縮みや型くずれが発生するため通称「ドライマーク衣料」（有機溶剤等で洗浄するドライクリーニング方式が要求される衣料）を洗濯することはできなかった。更に従来の洗濯方法では、洗液や濯ぎ水の汚濁により、洗濯物が逆汚染される問題もあった。
【０００４】
一方、洗浄排水は、河川・湖沼・海の環境破壊の原因となるほか、たとえば原子力発電所で使用した作業服・手袋・靴下・タオル・帽子・マスク等（以下、作業服等という）を洗浄した洗浄排水は放射能汚染の危険もあり、危険な化学物質を扱う工場の作業服等の洗浄排水でも同様の問題がある。これら危険成分が含まれる恐れのある洗浄排水は、多量の排水を回収し無害化するのに莫大な処理費用が必要である。そのためこれらの作業服等の洗浄には、排水を出さないドライクリーニング方式が採用される場合もあが、ドライクリーンニング方式は、水洗浄方式とは異なり汗などの匂いが残り着用者に不快を感じさせ不評を買っており、また、洗浄業者においても健康管理面から有機溶剤による洗浄は減らしていきたいという要望がある。このような状況から、水洗浄方式で洗剤使用量と排水量を劇的に減らす洗濯方法の開発が切望されていた。
【０００５】
また従来、洗液中または濯ぎ水中にオゾンガスを供給して、オゾンガスの作用で洗濯物の漂白と脱臭・除菌を促進する技術が知られているが、この方法でオゾンガスを供給する場合、洗液中に浮遊するオゾンガスの気泡が洗濯物に直接触れないため、オゾンガスを大量供給しないとオゾンガスの十分な漂白と脱臭・除菌効果が得られず、大容量のオゾンガス発生装置が必要である。
【０００６】
上記問題の解決のため本願発明者が研究を行った結果、泡洗浄が最適解決方法であるとの結論に達した。つまり泡洗浄式の洗濯方法は、従来の洗濯方式に比べ、濯ぎ水の総使用量すなわち総排水量を約３０％以下にし、洗浄工程所要時間が約半分以下で済み、洗濯物へのオゾンガス供給が合理的に行え僅かの供給量でも良好な効果が得られ、ドライマーク衣料も水洗浄が可能であるなどということが判明した。
【０００７】
【発明が解決しようとする課題】
前述の状況に鑑み本発明が解決しようとする課題は、上記研究結果を基に、従来の洗濯方式に比較して、洗液濃度を低くして洗剤消費量を激減させ、排水の濁度を低下させるとともに、洗液と濯ぎ水それぞれの使用量すなわち総排水量を従来の洗濯方式の約３０％以下にする洗濯装置を提供することにあり、他の課題は、洗浄開始から脱水完了までの洗浄工程所要時間が従来の洗濯方式の約半分で済む洗濯装置を提供することにあり、更に、洗濯物の漂白や除菌も効率的に行えるのみならずドライマーク衣料も水洗浄できる洗濯装置を提供する点にある。また、わずかな量のオゾンガスの供給で洗濯物の漂白と脱臭・除菌を効率よく促進することの可能な洗濯装置を提供することにある。
【０００８】
【課題を解決するための手段】
前記課題解決のため、本発明の泡洗浄式洗濯装置は、側面に開口と下方に排水口を有するほぼ円筒形の外胴と、該外胴内に収容されて回転駆動可能に水平支持され且つ周壁には多数の透孔が設けられるとともに前記外胴の開口と対面する位置に開閉扉で覆われた開口を有してなるドラムと、該ドラムの可変速回転駆動手段と、前記開閉扉の内側に設けられ且つドラム内に向けて流体を噴射する一つ以上の流体噴射部とを備えてなるドラム型洗濯機を形成する一方、前記流体噴射部には、水に洗剤を溶解した洗液から生成した泡を供給する泡供給系統、および流水供給系統をそれぞれ接続して構成する。
【０００９】
この基本構成により、洗濯物をドラム内で低速回転で攪拌しつつ、泡を供給して洗濯物に直接付着させ、この泡の洗浄作用により洗濯物の汚れ成分を解離、溶解させる第１洗浄工程と、ドラムを高速回転させつつ流水を供給して遠心力作用で洗濯物に流水を一方向に透過させ前記の解離、溶解した汚れ成分を押し流す第２洗浄工程と、ドラムの高速回転による脱水工程と続く一連の工程を一貫して連続的に行うことが可能となる。この泡による洗浄は極めて高い洗浄作用を有し、低濃度で且つ僅かな量の洗液でも短時間で洗浄が行え濯ぎ水の使用量も少なく、また洗濯物への物理的衝撃が少ないためドライマーク衣料も洗浄可能となる。
【００１０】
なお、第１洗浄工程は、泡が破裂して液状化した洗液が有する界面活性作用と汚れを溶解する作用、泡の破裂衝撃作用、泡の微粒子吸着作用などが汚れ成分を溶解、解離させる工程である。また、第１洗浄工程における洗濯物の攪拌動作は、洗濯物に揉みと叩きと摩擦を付加させ、洗浄を促進するためのものである。
【００１１】
上記泡洗浄式洗濯装置の各要素は以下の様に構成すればよい。
まず、泡供給系統については、水に洗剤等を溶解した洗液を送出する流量制御機能付き洗液送出手段と、該洗液送出手段から送出される洗液と空気を混合して泡を生成する製泡装置と、該製泡装置から前記流体噴射部に至る泡送給管路とを備えて構成し、一方、前記流水供給系統については、流量制御機能付き流水供給手段と、該流水供給手段から前記流体噴射部に至る流水送給管路とを備えて構成する。
【００１２】
つぎに、前記ドラム型洗濯機において、外胴の開口とドラムの開口とは互いの開口中心がドラムの回転中心線上にほぼ一致するように形成され、且つ、ドラムの開閉扉は前記外胴に取り付けるとともに、該開閉扉が閉じた状態ではドラムの開口を僅かな隙間を隔てて覆う形態とするかまたは可撓性シール部材を介して覆う形態となす一方、前記泡供給系統および流水供給系統の泡および流水の送給管路は、前記開閉扉で支持され且つ該開閉扉を貫通して前記流体噴射部に接続する。この構成はドラムを回転させつつ泡および流水（即ち濯ぎ水）をドラム内に向けて噴射させるうえで都合がよい。
【００１３】
なお、前記ドラムについては、周壁を円筒形に形成し、且つその周壁内には内方に突出する一つ以上の突部を形成する。この突部は、第１洗浄時に洗濯物を効果的に攪拌させ、泡を洗濯物全体に付着させるのに都合がよい。また、ドラムの可変速回転駆動手段には、低速回転動作時に正転と逆転を交互に繰り返す機能を備えると、洗濯物の攪拌作用をより一層効果的に行える。
【００１４】
一方、泡および流水供給系統の流体噴射部先端は、泡および流水の拡散供給が可能に形成すると、泡や濯ぎ水が拡散して供給されドラムの長手方向全域に均等に拡散して供給され、ムラのない洗浄と濯ぎが行える。更にドラム型洗濯機には、ドラム内に大気圧以上の空気を供給する空気供給手段を備えると好都合である。これにより、洗濯物に対する濯ぎ水の透過性をよくし、濯ぎ洗浄がより効果的に行える。そして、泡供給系統と流水供給系統のうち少なくとも泡供給系統には、その系統内に供給流体の加熱手段を備えるとよい。これにより、寒冷地や冬季においても泡の生成と洗浄作用が効果的に行え且つ昇温により洗剤の種類に応じ最適温度域での洗浄も可能となる。
【００１５】
更に、製泡装置については、泡生成用気体を供給する手段として、空気供給手段のほか、オゾンガス供給手段を備える。これにより、泡の気泡に空気、オゾンガス、空気とオゾンガスの混合気体を封じた泡を生成することができ、オゾンガスを含む泡を洗濯物表面に直接接触させることができ、僅かな量のオゾンガスでも効果的に洗濯物の漂白と脱臭・除菌を促進させることが可能となる。
【００１６】
また、洗液送出手段には洗液製造装置を設置するとともに、洗液製造装置の洗液製造部には供給水管のほか電解液供給手段を接続し、電解液または電解液を混入した水に洗剤を溶解させて生成した洗液を製泡装置に送給するように構成すると好ましい。これにより、更に泡の洗浄力を向上させ且つ漂白や除菌も同時に行え、洗剤や洗液の消費量を減らすことが可能となる。
【００１７】
本発明に係る泡洗浄式ドラム型洗濯機においては、外胴の排水口に開閉手段を備える一方、流水供給系統に洗剤混入手段を設けるか、または泡供給系統に製泡装置を迂回する迂回路を設けると都合がよい。これにより、泡洗浄方式のほか、排水口を閉じてドラム内に液状の洗液を満たし洗濯物を洗液中で攪拌する従来方式の洗浄も行うことが可能な洗濯装置となる。
【００１８】
【発明の実施の形態】
つぎに本発明の実施の形態を添付図面に基づき更に詳細に説明するが、本発明は、添付図面に限定されず特許請求の範囲に記載の要件を満たす実施形態の全てを含むものである。図１は、本発明に係る洗濯方法を実現するための洗濯装置の全体構成を展開して模式的に示す系統図である。洗濯装置１は、ドラム型洗濯機２と、このドラム型洗濯機２の内部のドラム４の側面開口４ａからドラム内部４ｂに向けて、水に洗剤等を溶解した洗液から生成した微粒の泡を供給する泡供給系統２０、流水を供給する流水供給系統３０、および大気圧以上の圧力の空気を供給する空気供給系統４０とによって全体を構成している。
【００１９】
ドラム型洗濯機２は、側面に開口３ａと下方に排水口３ｂを有する中空のほぼ円筒形の外胴３と、外胴３の内部に収容され外胴の開口３ａの中心を回転中心に回転可能に支持されるとともに周壁には全周に亘り多数の透孔４ｃが形成され且つ開口３ａの対面位置に開口４ａを有してなるドラム４と、開口４ａとは反対側のドラム側端中心から外方つまり後方に突出するドラム４の駆動軸８と、駆動軸８に連結された可変速回転駆動手段７と、外胴３に取着され開口３ａを介して僅かな隙間を隔てて開口４ａを覆う開閉扉５と、開閉扉５の内側に先端噴出口をドラム内部４ｂに向けて取着された流体噴射部２１，２２，２３と、外部から開閉扉５を貫通して前記流体噴射部にそれぞれ連通接続されたマニホールド２４，２５，２６とを備えてなる。
【００２０】
なお、ドラム４の駆動軸８は、外胴３の後方側壁に固着した支持部９上の軸受９ａ，９ｂで回転可能に支持され、可変速駆動手段７は、支持部９に設置した可逆可変速のモータ７ａおよび巻き掛け伝動装置７ｂとからなり、巻き掛け伝動装置７ｂは、モータ７ａの出力軸端と駆動軸８の軸端に固着したプーリ７ｃ，７ｅ、およびこの両プーリに掛けたベルト７ｄとからなる。この構成により、ドラム４はモータ７ａにより可逆的な低速回転と一方向の高速回転のいずれのモードでも運転可能となっている。また、排水口３ｂは開閉手段６ａを介し排水管６に接続され、ドラム４の透孔４ｃから外胴３に排出された水を外部に排水可能にしている。
【００２１】
そして、各流体噴射部２１，２２，２３に連通するマニホールド２４，２５，２６の開閉扉５の外側各基端にはそれぞれ泡供給系統２０、流水供給系統３０、空気供給系統４０をそれぞれ接続して洗濯装置全体を構成する。この図においては、流体噴射部２１，２２，２３をすべて開閉扉５内側に取着し、マニホールド２４，２５，２６を介し開閉扉５の外側で泡と流水と空気の供給系統２０，３０，４０にそれぞれ接続している。これとは別に図示はしないが、この一部または全部をドラム駆動軸８の軸端から駆動軸８を貫通してドラム内部に導き、流体噴射部をドラム４の駆動軸側内側壁の中央近傍に取着といった方法もある。
【００２２】
つぎに、上記泡洗濯装置１における泡と流水と空気の各流体供給系統２０，３０，４０の構成要素について以下に順次詳しく説明する。まず、泡供給系統２０は、水道等の水源に対し供給水管１０とその分岐管１０ａを介して接続された洗液製造装置１１と、洗液製造装置１１に接続され中間に洗液ポンプ１４を介在する洗液送給管路１３，１３ａと、洗液送給管路１３ａの先端に接続された製泡装置１５と、泡製泡装置１５からドラム型洗濯機２の開閉扉５のマニホールド２４に至る泡送給管路１７とで構成する。
【００２３】
なお、洗液製造装置１１は、洗液製造部としての攪拌貯留槽１１ａと、攪拌貯留槽１１ａへの洗剤投入部１１ｂと、攪拌貯留槽１１ａ内に挿入した攪拌羽根と攪拌羽根駆動モータとからなる撹拌装置１１ｃとを有してなり、攪拌貯留槽１１ａ内で給水分岐管１０ａから供給する水に洗剤投入部１１ｂから洗剤等を所定の割合で投入混合させ撹拌装置１１ｃで攪拌して所定濃度（例えば、０．１重量％濃度）の洗液を製造して貯留するが、攪拌貯留槽１１ａを小容量にして洗液の製造を連続的に行って順次製泡装置１５に送出するようようにしてもよい。
【００２４】
そして、洗液製造装置１１で製造された洗液１２を洗液ポンプ１４を介して製泡装置１５の製泡器本体１６の基端側に送給する。この場合、洗液ポンプは回転速度制御または間欠運転或いは図示しない絞り弁の開度調整など適宜の方法で洗液の単位時間当たりの平均送給量を所定の量に制御する。一方、空気管４１ａを介し圧縮空気源に連通する空気分配器４１からは、送気管４２，減圧弁４３，送気管４２ａを介して製泡器本体１６の基端側に適宜の圧力に減圧された空気を送り、この空気を製泡器本体１６内の洗液中に噴出させて泡を生成する。生成された泡は、詳細の仕組みの説明は省くが製泡器本体１６に内蔵された整粒手段１６ａ，１６ｂ，１６ｃで適宜の粒径（例えば、約１．０〜約０．５ｍｍ）の泡に整えられる。そしてこの泡は、洗液ポンプ１４と供給空気の作用で泡送給管路１７内に順次押し出され、泡送給管路１７を通ってドラム型洗濯機２に送られ、マニホールド２４の先端の流体噴射部２１からドラム内部４ｂに向けて噴射される。
【００２５】
なお、製泡装置１５の製泡器本体１６には、上記の送気管４２ａのほかオゾンガス供給手段５０も接続している。オゾンガス供給手段５０は、チャンバー５１と、その内部に収納された紫外線ランプなど適宜のオゾンガス発生装置５２と、中間にオゾンガス送給装置５４が介在するオゾンガス送給管路５３，５３ａとで構成し、オゾンガス送給管路５３ａの先端を製泡器本体１６の基端側に接続する。これにより、オゾンガス発生装置５２で発生したオゾンガスをオゾンガス送給装置５４を介し製泡器本体内に注入すると、泡の気泡内に空気、オゾンガス、空気とオゾンガスの混合気体を封じ込めた泡の生成も可能になる。
【００２６】
一方、洗液製造装置１１の攪拌貯留槽１１ａには給水分岐管１０ａのほかに電解液供給手段６０を接続する。電解液供給手段６０は、給水分岐管１０ｂに連通する給水管６２と、給水管６２に接続された電解槽６１と、電解槽６１から洗液の攪拌貯留槽１１ａに連通する電解液送給管路６３と、電解液送給管路６３に介在する電解液送給ポンプ６５とで構成する。これにより、給水管６２から電解槽６１に供給された水を、電解槽６１内の電極６４，６４ａに通電することにより、水に含まれる殺菌処理用の塩素やミネラル成分或いは電解槽６１内に投入した物質（例えば食塩など）を媒体として原料水を軟水化して洗剤の界面活性作用を高め且つ漂白と除菌も促進する作用のある電解液（例えば次亜塩素酸ソーダを含む水）に変化させることが可能となる。ここで生成された電解液を電解液送給ポンプ６５により電解液送給管路６３から洗液製造装置１１の攪拌貯留槽１１ａに送給する。そして、洗液製造装置１１では、給水分岐管１０ａからの水と電解液を原料水としてこれに洗剤を投入して攪拌溶解させ電解液を含む洗液１２を生成する。この洗液１２を製泡装置１５に送給すると、洗浄力が高く且つ漂白作用と除菌作用の高い洗浄用泡を生成することが可能である。なお、電解液送給ポンプ６５は、電解槽６１内に圧縮空気を注入し、空気圧で電解液を攪拌貯留槽１１ａに送給する方式に代えてもでもよい。
【００２７】
つぎに、流水供給系統３０については、水道等の水源に対し供給水管１０とその分岐管１０ｂを介して接続された貯水部３１と、貯水部３１からドラム型洗濯機２の開閉扉５のマニホールド２５に至る流水送給管路３２，３２ａと、流水送給管路３２，３２ａの間に介在する給水ポンプ３３とで構成する。流水は、給水ポンプ３３により流水送給管路３２ａを通ってドラム型洗濯機２に送られ、マニホールド２５の先端の流体噴射部２２からドラム内部４ｂに向けて濯ぎ水として噴射される。この場合、給水ポンプは回転速度制御または間欠運転或いは図示しない絞り弁の開度調整など適宜の方法で流水の単位時間当たりの平均送給量を所定の量に制御する。
【００２８】
なお、図示は省略するが、上記の電解液供給手段６０の電解液送給管路６３を貯水部３１にも接続して濯ぎ用流水に電解液を添加できるようにするとより一層都合がよい。濯ぎ水に電解液を添加すると第２洗浄の濯ぎ工程時にも電解液の界面活性作用で残留汚れを洗浄することができて洗浄率を一層高め、洗剤や洗液（つまり洗浄用泡）の使用量を減らすことも可能となる。
【００２９】
つぎに、空気供給系統４０については、空気管４１ａを介し圧縮空気源に連通する空気分配器４１と、空気分配器４１からドラム型洗濯機２の開閉扉５のマニホールド２６に至る空気送給管路４４，４４ａと、空気送給管路４４，４４ａの中間に介在する減圧弁４５とで構成する。これにより、空気分配器４１から送られる空気を、減圧弁４５で適宜の圧力（大気圧以上）に減圧させ、空気送給管路４４ａとマニホールド２６を経由し流体噴射部２３からドラム型洗濯機２のドラム内部４ｂに向けて噴射することができる。空気分配機４１は、詳細構造の図示は省略するが、空気管４１ａから前記製泡器本体１６に至る送気管４２と空気送給管路４４とにそれぞれ連通する分岐管と、その各分岐管に設けた電磁弁などの開閉弁とを有してなり、それぞれの系統への空気の供給と遮断を任意に制御可能にしている。
【００３０】
一方、泡または濯ぎ水、或いはその両方を昇温して洗浄しようとする場合、例えば図示のように、洗液送給管路１３や、流水送給管路３２に、電熱ヒータなど適宜の加熱装置７５，７７を介在させればよく、この加熱装置は図示のように各送給管路に個別に設置する方法のほか供給水管１０に設ける方法でもよい。
【００３１】
なお、上記の洗濯装置１には制御盤７０を備え、制御盤７０から導き出したケーブル７２を、モーター７ａ，撹拌装置１１ｃ，洗液ポンプ１４，給水ポンプ３３，空気分配器４１，オゾンガス発生装置５２，オゾンガス送給手段５４，電解槽の電極６４および６４ａ，電解液送給ポンプ６５，加熱装置７５および７７などに接続したケーブル（例えば１１ｄ，５５，６６，７１，７６，７８など）と接続する。そして制御盤７０によりそれらの各機器の操作設定と運転制御が行えるように構成する。
【００３２】
つぎに、上記構成からなる泡洗浄式洗濯装置１の作用つまり洗濯方法を図２，図３，図４（ａ）に基づいて説明する。図４（ａ）は本発明の泡洗浄式洗濯装置１による洗浄工程を示し、一方、図２，図３は前述の説明における図１の泡洗浄式洗濯装置１のドラム型洗濯機２の部分のみを掲載し、図２は泡洗浄即ち第１洗浄工程の作動状態、図３は濯ぎ即ち第２洗浄工程の作動状態をそれぞれ示している。泡洗浄式洗濯方法は図４（ａ）に示すように、洗濯物の投入を行い、第１洗浄（つまり泡による洗浄）と第２洗浄（つまり濯ぎ）と脱水の一連の工程を連続的に行い、それらがすべて終了後に洗濯物を取り出して洗浄作業を終了する。洗濯物の投入と取り出しは、ドラム４の開口４ａを覆う開閉扉５を開いて行う。なお、図４（ｂ）は従来の洗濯方法の洗浄工程を示し、図４の（ａ）と（ｂ）とはそれぞれ同一条件で対比できるよう、どちらも洗濯物投入容量が３５ｋｇ型の洗濯機を用いて先行を行う場合を示し、洗液（図４（ａ）では泡生成用洗液）および濯ぎ水の使用量と所要時間（運転時間）を各工程毎に掲載している。
【００３３】
図４（ａ）において、第１洗浄工程は、可変速駆動手段７によりドラム４を低速回転させて洗濯物を攪拌するとともに、泡供給系統２０から供給される泡をマニホールド２４を経由して流体噴射部２１からドラム内部４ｂに向けて拡散噴射する。この場合、ドラム４は正転と逆転を交互に繰り返し、泡２７は連続的または間欠的に供給し、泡２７が攪拌作用で洗濯物全体に均等に付着するようにし、約５分間の運転時間中に洗液量で約３０リットルの泡を供給する。この第１洗浄工程では、洗濯物に付着した泡が破裂して液状化した洗液が洗濯物に浸透し、この洗液の界面活性作用と溶解作用および泡の破裂衝撃作用と泡の微粒子吸着作用の相乗作用で、洗濯物に付着した汚れ成分を解離、溶解させる。
【００３４】
このときドラム４の低速回転に伴い、ドラム４内の下方に位置する洗濯物が上方に持ち上げられドラムの回転途中で自重によりドラム４内の下方に落下する。この際に洗濯物には揉みと叩きと摩擦などの洗浄促進作用が付加され、洗濯物に付着した泡が洗濯物全体に拡散され且つ泡が破裂して液状化し、洗濯物に吸収された洗液と順次送給される泡とが上記の仕組みで洗濯物の洗浄を行う。
【００３５】
この第１洗浄工程においては、泡が破裂して液状化した洗液は、一旦洗濯物に付着するが、ドラムの回転に伴う攪拌作用と重力と僅かな回転遠心力とにより、解離した汚れ成分の一部とともにドラム４の透孔４ｃから下方に落ちて順次外胴３の排水口３ｂから排出され、必要以上に洗濯物に付着して留まることは無い。つまり、洗濯物は水分含有量を少なく重量を軽く保った状態で攪拌される。従って、洗濯物の縮みや型くずれや損傷の原因となる攪拌衝撃が少なく、そのことがドライマークの衣料も洗浄可能である理由である。
【００３６】
この第１洗浄工程時に、前述のオゾンガス供給手段５０を作動させて供給泡にオゾンガスの泡を混入させると、オゾンガスを洗濯物全体に均等に付着させ洗濯物表面に直接作用させることができ、洗浄と同時に洗濯物の脱臭・除菌・漂白を行うことができる。しかもこのようなオゾンガスの供給方法は、従来のように液中での洗浄または濯ぎ工程中にオゾンガスを液中に供給する場合とは異なり、オゾンガスの泡が洗濯物に直接触れて破裂し洗濯物に直接作用するため、供給したオゾンガスの利用効率が極めて高く効果的である。
【００３７】
また、この第１洗浄工程時に、前述の電解液供給手段６０を作動させ、電解液を含む洗液で洗浄用泡を生成して洗濯物に供給させると、電解液の作用即ち軟水化に伴う洗剤の界面活性向上作用と酸化作用が相乗効果として働き、洗浄のより一層の促進と漂白や除菌を行うことができ、洗剤使用量を低下することもできる。
【００３８】
つぎの第２洗浄工程は、可変速駆動手段７によりドラム４を高速回転させ、洗濯物を回転遠心力でドラム４の内周壁に沿わせるとともに、ドラム４を高速回転させつつ、流水供給系統３０から供給される流水をマニホールド２５を経由して流体噴射部２２からドラム内部４ｂに向けて濯ぎ水としてシャワー状に拡散噴射する。この場合、供給流水２８がドラム４の手前側側壁から奧の側壁まで全域に亘って均等に拡散噴射されるようにして、流水２８を連続的または間欠的に噴射する。そして、約６分間の運転時間中に約９０リットルの流水を噴射する。
【００３９】
この第２洗浄工程では、洗濯物への供給流水２８は、ドラムの回転に伴う遠心力作用でドラムの半径方向外側に向けて流れ、洗濯物の隙間や繊維の間を透過する際に、前記の第１洗浄工程で解離した汚れ成分を強制的に押し流すとともに、残留している汚れ成分も溶解、解離して一緒に強制的に押し流す。そして濯ぎ水と汚れ成分は、ドラム４の透孔４ｃから順次外胴３に排出され、排水口３ｂから排水管６を経て外部に排出される。
【００４０】
ドラムの回転に伴う遠心力作用によるこの流水の強制的な一方向の流れは、従来の洗浄方式における濯ぎ水に浮遊させた状態で攪拌する濯ぎ方式とは異なり、洗濯物に接触する濯ぎ水の流速が速く且つ繊維の隙間を強制的に透過するため、極めて高い洗浄作用があるのみならず、汚濁した濯ぎ水がドラム内に留まらず順次排出されるので洗濯物の逆汚染も起こらない。
【００４１】
なお、この第２洗浄工程時には、ドラム内部４ｂはドラム４の高速回転に伴う遠心力作用で気圧低下を生じ、濯ぎ流水の半径方向外向きの流れの勢いを低下させる現象が起こる。その対策として、前述の空気供給系統４０からドラム内部４ｂに大気圧以上の空気を送給する。空気は空気送給管路４４ａからマニホールド２６を通ってその先端の流体噴射部２３からドラム内部４ｂに向けて供給される。ドラム内部４ｂで供給された空気２９は、ドラム内の気圧を大気圧に近づけ或いはそれ以上の圧力に昇圧させ、それにより濯ぎ流水の半径方向外向きの流れの勢いを増す。
【００４２】
最後の脱水工程は、濯ぎ水の送給を停止し、ドラム４を高速回転し、回転遠心力の作用で洗濯物に含まれている水分を透孔４ｃから外胴３に排出する工程である。この脱水工程の運転時間は約５分間で終了する。脱水が終了後、ドラム４を停止し、開閉扉５を開いて内部の洗濯物を取り出し、乾燥工程へと移行する。
【００４３】
泡洗浄式洗濯装置を用いる洗濯方法の場合、以上の説明から、全体の洗浄工程所要時間は約１６分でよく、洗液を含む水の総使用量は負荷量が３５ｋｇ型の洗濯機で約１２０リットルでよい。これに対し図４（ｂ）に示す従来の洗濯方法では、洗浄工程所要時間は約２９分であり、洗液を含む水の総使用量は負荷量が３５ｋｇ型の洗濯機で約４２０リットルとなる。つまり、泡洗浄式洗濯方法では従来の洗濯方法に比較して、洗浄工程所要時間が約半分で、水の総使用量が約３０％以下でよいことになる。
【００４４】
また、泡洗浄式洗濯装置を用いる洗濯方法における第１洗浄工程時の泡生成洗液の使用量は約３０リットルに対し、従来の洗濯方法における洗浄工程時の洗液使用量は１２０リットルであり、泡洗浄式洗濯方法では従来に比べ洗液使用量が約１／４でよいことになる。更に後述の実験に関する説明において詳しく説明するが、泡洗浄式洗濯方法では、従来の洗濯方法に比べ洗液の洗剤濃度を約１／２以下にしても従来以上の洗浄効果がある点を考慮すると、洗剤使用量が従来の約１／８以下となる。つまり泡洗浄式洗濯装置は、生産性が高く、水と洗剤の使用量が少なく、コストが安いことに加え環境汚染対策にも大きく貢献する洗濯方法であるといえる。
【００４５】
なお本発明の泡洗浄式洗濯装置で洗浄に用いる泡生成用洗液の理解を助けるため、泡生成用洗液に用いる洗剤と濃度などの具体的関係についてごく簡単に説明しておく。泡生成用洗液の洗剤としては、例えば市販のアルキルベンゼンスルホン酸ナトリウム系（通称ＡＢＳ系）の合成洗剤を用いてもよく、その場合、洗浄力即ち界面活性作用の観点からは、アルキル基の炭素量が１２から１４程度の洗剤が最もよい。そして泡洗浄に限らず従来の洗浄方法にも共通するが、洗液の温度については、通常約２５℃から約８０℃の範囲が最適で炭素量が高くなるほど温度の高い方に洗浄力のピークが移行し、また洗剤濃度については一般に約０．１〜約０．４重量％の範囲が適当で、０．２重量％前後が最もよく使われる。そしてこの濃度範囲の洗液は、表面張力が低下し界面張力も同様に低下し、起泡力にも優れ洗浄に適した界面活性と浸透性などを備える。泡洗浄方式では、ＡＢＳ系合成洗剤のほか、ベンゼンスルホン酸塩系（通称ＬＡＳ系）合成洗剤や石鹸などを用いてもよい。ＬＡＳ系合成洗剤を用いた泡洗浄の実験では、洗液の洗剤濃度が後述の如く０．０１重量％でも十分な効果が認められる。
【００４６】
更に、上記合成洗剤には、食塩（ＮａＣｌ）や硫酸ナトリウム（Ｎａ２ＳＯ４）や炭酸ナトリウム（Ｎａ２ＣＯ３）などといった添加物を助剤として適量添加すると、洗剤と助剤の相乗効果で洗液の表面張力を低下させ洗浄力を著しく補強させ、洗浄力が約１６％〜約４０％以上も増加することが知られている。つまり、泡洗浄においては、上記助剤を添加するかまたは添加された洗剤を用いて洗液を生成し、その洗液から生成した泡を洗濯物に供給すると極めて高い洗浄効果が得られる。これらの助剤は水溶液中でイオン化し、洗剤分子と結合して洗浄力低下の原因となる物質と結合して水を軟水化させ、洗剤の活性を高める作用をする働きをする。つまりこれらの助剤は電解液と同様な働きをする。
【００４７】
なお、図１などに示す如く、洗濯機２の外胴３の排水口３ｂと排水管６との間には排水口開閉手段６ａを介在させ、且つ、洗液送給管路１３ａには三方切替弁１８を介させるとともに三方切替弁１８から製泡器本体１６を迂回する迂回路１９を備える。このような形態にすることにより、排水口開閉手段６ａを閉じ、三方切替弁１８を迂回路１９側に切り替えると、ドラム４に洗液および濯ぎ水を溜め、洗液中での攪拌洗浄と水中での攪拌濯ぎを行う従来の洗濯機としても運転使用することが可能になる。ただし、製泡器本体１６への製泡用空気の送給を停止すると洗液の発泡が停止される。従って、製泡器の通過抵抗が小さい場合は、製泡用の空気の送給を停止するだけで前記迂回路１９を介さずにドラム４に液状洗液の送給が可能である。
【００４８】
つまりこのことからも明らかなように、本発明の泡洗浄式洗濯装置は、従来のドラム型洗濯機に対し、ドラムの開閉扉を流体噴射部とそれに接続するマニホールドを備えた構造の開閉扉につけかえ且つ泡と流水と空気などの流体供給手段を追加設置した構成であり、従来のドラム型洗濯機の構成部材を利用して低コストで製造或いは改造が可能ということも優れた特長である。
【００４９】
一方、洗浄用泡の生成方法としては、前述の説明の他に、図示は省略するが洗液を加圧容器内に導き高圧ガス（空気または空気とオゾンガスの混合ガス或いはその他の適宜のガス）を注入して洗液に加圧浸透（つまり溶解）させた後、流量制御弁と減圧弁などを介して発泡室内に噴出させ発泡させる方法でもよい。この製泡方法は、加圧作用で洗液中に強制的に溶解させられたガスが減圧作用で過飽和となって気泡状に洗液中に湧き出してくる原理を応用したものである。そして発泡後は前述のように整粒して洗濯機に送給し洗濯物に供給させればよい。
【００５０】
つぎに、図１の泡洗浄式洗濯装置１の具体的な組立構成を図５，６に例示する。図５は、泡洗浄式洗濯装置１の外胴３とドラム４の部分を断面にして示す側面図で、図６はその正面を示す。以下、この具体例について説明するが、図５，６における各部の符号は、図１の構成要素と同じものには同一符号を用いている。泡洗浄式洗浄装置１は、矩形の筐体からなる本体フレーム１ａと、該本体フレーム内部に収納され上部と側部は複数の弾性支持部材１ｂ，１ｂ・・・を介し且つ下部は弾性体１ｃなどを介して全体を弾性支持されたドラム型洗濯機２と、製泡装置１５と、洗液製造装置１１と、流水ポンプ３３（図１参照、図５，６には図示しない）と、制御盤７０などを有してなる。
【００５１】
ドラム型洗濯機２は、前述の説明のように、前方側壁中央に開口３ａと底部に排水口３ｂとを有する外胴３と、その内部に回転可能に収納支持され外胴開口３ａと対面する位置に開口４ａを備え且つ周壁には多数の透孔４ｃを有してなるドラム４と、開口４ａに対し僅かな隙間を隔て開口４ａと３ａを覆う開閉扉５と、ドラム４の側壁中心から外方つまり後方に突出形成された駆動軸８と、外胴３の側壁つまり後壁に取着された支持部９とその上で駆動軸８を回転可能に支持する軸受９ａ，９ｂと、支持部９に支持された可変速駆動手段７とを有してなる。そして開閉扉５は、前面にヒンジ部５ａとロック機構付きのハンドル５ｂを備える一方、可変速駆動手段７は、可逆可変速のモーター７ａと巻き掛け伝動装置７ｂとからなり、巻き掛け伝動装置７ｂは、モータ７ａの出力軸端および駆動軸８の軸端にそれぞれ固着されたプーリー７ｃ，７ｅおよびこのプーリー間に掛けたベルト７ｄで構成される。
【００５２】
そして、ドラム型洗濯機２には、前面開口扉５の内面に先端噴出口をドラム４の内部４ｂに向けて取着された複数の流体噴射口２１，２２，２３を備えるとともに、該各噴射口は開閉扉５の外部に取着されたマニホールド２４，２５，２６とそれぞれ連通している。一方、マニホールド２４には泡送給管路１７（図１参照）を介して製泡装置１５が接続され、マニホールド２５には流水送給管路３２ａ（図１参照）を介して流水供給用の流水ポンプ３３（図１参照）が接続され、マニホールド２６には空気供給管路４４ａ（図１参照）を介して空気分配器４１（図１参照）が接続されている。更に製泡装置１５は、洗液送給管路１３ａと洗液ポンプ１４（図１参照）などを介して洗液製造装置１１に接続され、洗液製造装置１１には水道などの水源から給水を受ける給水管１０ａが接続されている。
【００５３】
図５，６においては、洗液製造装置１１と製泡装置１５は１点鎖線のブロックで示し、内部の詳細な配置関係は図示しないが各ブロック内は基本的には図１に示す構成にしている。但し洗液と濯ぎ用の流水は同時に供給しないので、図５，６の装置では洗液製造装置１１の洗液攪拌槽を流水貯留槽と兼用にした構造であり、濯ぎ用の流水は洗液製造装置１１を経由して流水送給管３２から流水ポンプ３３（図１参照）に接続するようにしている。
【００５４】
更に、図５，６の装置においては図１におけるオゾンガス供給手段５０と電解液供給手段６０は備えていないが、これらは図１と同様に本体フレーム１ａ内に設置することも可能である。また、図５，６には図示しないが、洗液ポンプ１４，流水ポンプ３３などの送給装置は、速度制御や間欠運転などで送給量制御が行える型式とし、モーター駆動のほか空気作動でもよく、渦巻きポンプやギヤーポンプやダイヤフラム式ポンプなど種々の型式のポンプでよい。更に洗浄用泡や濯ぎ水の加熱装置としては、図示はしないが、電熱ヒータのほかスチームまたは熱水を用いる熱交換器でもよい。
【００５５】
以上の組立構成からなる泡洗浄式洗濯装置を用いて行う洗濯方法については、前述の図１の洗浄装置の洗濯方法の説明とほぼ同様で重複するため改めて説明はしない。
【００５６】
つぎに、本発明に係る泡洗浄式洗濯装置による洗濯方法と従来の洗濯方法との洗浄効果比較のため、本願出願に先立って実験を行ったので以下にその内容を紹介する。実験に用いた泡洗浄式洗濯装置は、図５，６に示す装置と同様な構成からなる負荷量（洗濯物投入量）３５ｋｇの実験用の泡洗浄式洗濯装置であり、泡供給系統には泡粒径調整手段（流体噴射部の口径調整による）を備え、昇温洗浄も行えるよう給水設備には加熱装置を備え、且つ従来の洗濯方式も行えるよう外胴の排水口には開閉手段を備えている。
【００５７】
洗濯物については、上記洗濯装置に綿１００％のツナギ作業服４０着（１着８００グラム，総重量３２ｋｇ）と洗浄率測定用の人工汚染布（財団法人洗濯化学協会の湿式汚染布）を投入した。そして、洗浄工程については、泡洗浄式洗濯方法は、図４（ａ）に示す如く、ドラムを低速回転攪拌しつつドラム内に泡を間欠的に供給噴射する第１洗浄工程を５分（洗浄時間延長実験を除く）（洗液量３０リットル）、つぎにドラムを高速回転しつつドラム内に流水を供給噴射し濯ぎを行う第２洗浄工程を６分（供給水量９０リットル）、最後に流水の供給を停止しドラムの高速回転で行う脱水工程を５分、合計１６分で洗浄を終了した（総使用水量１２０リットル）。一方、従来の洗濯方法の工程は、図４（ｂ）に示す如く、洗液をドラムに満たして攪拌する第２洗浄を１０分（洗液量１２０リットル）、つぎに１分間の中間脱水と濯ぎ水をドラムに満たして攪拌する濯ぎを６分（流水供給量１５０リットル）とからなる中間脱水・濯ぎ工程を２回繰り返し、最後に脱水工程を５分、合計２９分で洗浄を終了した（総使用水量４２０リットル）。なお、従来方式の洗浄の洗液は、それぞれ泡洗浄方式の泡を生成した洗液と同じ洗剤濃度と温度である。
【００５８】
実験には２種類の洗剤を用い、内１種類は１％，０．１％，０．０１％の濃度（いずれも重量％）について、また、泡は泡粒径を段階的に変え、更に、洗浄温度も段階的に変えて、これらをそれぞれマトリックス的に組み合わせて本発明に係る泡洗浄を行うとともに、従来方式の洗浄も洗液の各濃度と各温度について行った。そして洗浄率は、洗濯物と人工汚染布の乾燥処理後に測定した。なお、縮みについては、洗濯の前と後に洗濯物の背丈を実測してその差を記録した。
【００５９】
上記の実験結果を抜粋して表１に掲載する。
表１において、実験Ｎｏ．１は洗剤Ａ（花王株式会社の弱アルカリ性のＡＢＳ系合成洗剤：商品名「アタック」）の１．０重量％濃度の洗液を用いて２５℃にて洗浄した場合、実験Ｎｏ．２は同じく４０℃にて洗浄した場合、実験Ｎｏ．３は洗剤Ｇ（ゲンブ株式会社の中性のＬＡＳ系合成洗剤：商品名「ゲンブエコー」）の１重量％濃度洗液を用いて２５℃にて洗浄した場合、実験Ｎｏ．４は同じく４０℃にて洗浄した場合の洗浄率をそれぞれ示す。実験Ｎｏ．５から７は、洗剤Ｇ（上記参照）を用い洗液濃度を変えた場合のデータで、実験Ｎｏ．５は０．１重量％濃度の洗液を用い２５℃にて洗浄した場合、実験Ｎｏ．６は０．０１重量％濃度の洗液を用い２５℃にて洗浄した場合、実験Ｎｏ．７は実験Ｎｏ．６と同じ洗液を４０℃にて洗浄した場合の洗浄率をそれぞれ示す。実験Ｎｏ．８〜９は、洗剤Ａ（上記参照）の１．０重量％濃度の洗液を用い洗浄時間を変えた場合の洗浄率データで、実験Ｎｏ．８の「標準」は実験Ｎｏ．１を引用し（泡洗浄は５分洗浄、従来洗浄は１０分洗浄）、「３分間延長」と「５分間延長」は、標準に対し洗浄時間をそろぞれ３分と５分延長した場合における洗浄率を示す。実験Ｎｏ．９は実験Ｎｏ．８と同じ内容を４０℃にて行った場合の洗浄率を示す。
【００６０】
【表１】
2004000537.tif 000003
【００６１】
表１の実験データから、以下のように考察される。
（１）泡洗浄方式は、従来の洗浄方式の約半分の時間（脱水まで）と約１／３の総使用水量で洗浄しても、洗浄率は従来の洗浄方式以上の極めて高い値を示した。
（２）泡洗浄方式では、洗剤濃度の高い洗液の方が洗浄率が高くなる傾向があるが（但し洗浄力や浸透圧が飽和状態となるミセル限界の上限濃度以下において）、洗剤濃度よりも泡粒径の方が洗浄率への影響が大きい。つまり泡粒径が洗浄率を左右する決定的要因となっており、洗浄率は泡粒径への依存度がより大きく、泡を生成する洗液の洗剤濃度が約０．０１重量％程度でも十分な洗浄効果が得られる。このことはＬＡＳ系合成洗剤で確認された。
（３）上記に対し従来の洗浄方式では、洗液の洗剤濃度で洗浄率が大きく左右され濃度が高い方が洗浄率も高く（但し上記のミセル限界の上限濃度以下において）、洗浄率は洗剤濃度に依存する。
（４）泡洗浄方式の洗浄率は、洗剤の種類と濃度と温度により若干の差異が認められるが、泡粒径が約６ｍｍ以下の範囲で従来方式よりも優れた洗浄率となり、泡粒径が１〜０．５ｍｍのときに洗浄率が最高となり極めて高い値を示す。
（５）泡洗浄方式は、従来方式と同様に温度が高いと洗浄率が高くなるが、その場合も泡粒径が１〜０．５ｍｍのときに洗浄率が最高となる。なお、血液汚れは高温下では硬化し洗浄が困難になるため、最適は約４０℃の温度域である。
（６）泡洗浄方式では、泡の供給総量（洗液量基準）が同じでも、洗浄工程つまり攪拌に時間をかけると洗浄率が高くなる傾向がある。この傾向は従来方式も同じである。
（７）泡洗浄方式は、ある程度までは泡粒径が小さくなるにつれ高い洗浄率を示すが、粒径が０．４ｍｍ以下の超微粒になると洗浄率がやや低下し若干の縮みを伴う（表１の最下段記載の伸縮量においてマイナス値は縮み量を示す）。
（８）上記の縮みの原因は、泡が超微粒化すると泡が破裂して液状化した洗液の流下排出を妨げ、洗濯物に必要以上に洗液が付着して重量を増し、攪拌時に洗濯物に大きな物理的衝撃が加わるためと考察される。一方、泡粒径０．４ｍｍ以下で洗浄率が低下する原因は、洗濯物に必要以上に付着した洗液が洗濯物への泡の直接接触を妨げ、泡の破裂衝撃作用や微粒子吸着特性といった洗浄促進に重要な効果を低下させるためと考察される。
（９）泡洗浄方式においては、泡粒径０．５ｍｍ以上では洗濯物の縮みは全く発生しない。これに対し従来方式では全ての実験で２ｍｍの縮みが発生した。
【００６２】
この実験結果から得られる結論として、本発明に係る泡洗浄式洗濯装置においては、第１洗浄時に洗濯物に供給する泡が粒径約６ｍｍ以下になるようにし、粒径約１ｍｍ〜約０．５ｍｍの最適範囲に調整できるようにするのが好ましい。そして泡の最適粒径では洗液は従来方式の約１／５の洗剤濃度でも従来と同等以上の洗浄率となったので、泡生成用洗液の洗剤濃度は泡粒径や使用洗剤に応じ適宜調整可能にするのがよい。更に、従来方式に比べ、洗剤使用量が激減し、水の使用量が約１／３となり、且つ脱水までの工程時間が約１／２となるので、給水装置や運転制御機構はこれらに対応させ洗濯物に合わせた設定が可能なようにするのがよい。
【００６３】
なお、洗浄用の泡には僅かながら未発泡の液状部分が含まれる場合や、長時間放置すると時間経過とともに泡が破裂消滅して液状化した液状部分が含まれることが確認されることがある。上記の実験において流体供給部の管路先端から供給された直後の泡を容器に採取し目視確認の結果では、容器の底に分離沈降した未発泡の液状部分は確認されず、全量が泡状部をなしていた。そして時間経過とともに徐々に泡が破裂したり合体して粒径が大きくなるとともに、泡に含まれている未発泡の洗液と泡の破裂で生じた洗液が容器底部に沈降分離して液相を形成するが、この変化はゆっくり進行し、容器にに採取直後の数分間では目立った変化は確認されなかった。この泡は、採取直後では粒径が１．０〜０．５ｍｍの範囲で、重量測定した結果、体積比率で同量（即ち同じ体積）の発泡処理前の液状洗液の重量の約５％の重量であった。つまりこの泡は、洗液が泡になった状態では体積が約２０倍になっている。ただし泡粒径によりこの結果は異なる。本発明の洗濯方法は、泡が破裂して液状化した洗液の界面活性作用と溶解作用と泡の破裂衝撃作用と泡の微粒子吸着作用とを含む泡の洗浄作用により洗濯物に付着した汚れ成分等を解離、溶解させるものである。従って、洗濯物に供給する泡には未発泡の液状部分は原則として不要であるが、詳細な説明は省略するが、未発泡の液状部が体積比率で約５％以下つまり泡状部の体積が全体の９５％以上であれば洗浄用の泡に未発泡の液状部分が含まれても十分な洗浄力があり縮みや変形も起こらないことが判明した。
【００６４】
【発明の効果】
以上にしてなる本発明の請求項１および２に係る泡洗浄式洗濯装置の作用効果を要約すると、洗浄作業は、泡洗浄による第１洗浄工程と、濯ぎの第２洗浄工程と、脱水工程の３工程で行われ、泡洗浄は極めて高い洗浄作用を有し、低濃度で且つ僅かな量の洗液でも短時間で洗浄が行え濯ぎ水の使用量も少なく、また洗濯物への物理的衝撃が少ないためドライマーク衣料も洗浄可能となり、且つ、途中での洗濯物の取り出しや詰め替えなどの作業を必要とせず、上記３つの全ての行程を一貫して効率よく行うことができる。
【００６５】
本発明の請求項１および２に記載の泡洗浄式洗濯装置では、洗濯物に付着させた泡が破裂して液状化した洗液の界面活性作用と溶解作用、泡の破裂衝撃作用、泡の微粒子吸着作用の相乗作用で洗浄を行うため洗浄力が著しく強化される。その結果、洗液中で攪拌洗浄する従来の洗濯方式に比べて短時間で洗浄が行え、第１洗浄工程に要する時間が従来の洗浄工程の所要時間の約１／２となり、しかも洗液濃度も薄くしてもよい。また、泡の量は洗液量換算で従来の洗液消費量の１／４でよい。更に、第１洗浄工程時に泡が破裂して液状化した洗液は順次ドラム外に排出され、洗濯物への洗液残留が少なく洗濯物の重量が軽く攪拌による衝撃が少ない。また、第２洗浄は洗濯物に濯ぎ水を透過させ汚れを強制除去する方式のため、汚濁した洗液や濯ぎ水による洗濯物の逆汚染も起こりにくく、濯ぎ効率がよく濯ぎは１回でよく、濯ぎ水使用量が従来の約１／３でよい。つまり、この泡洗浄式洗濯装置では、水の総使用量すなわち総排水量が従来の洗濯方法の約１／３以下となるのみならず、洗剤使用量は従来の約１／４以下（洗液量が約１／４および洗剤濃度は更に薄くてもよい）となり、必然的に工程所要時間も従来に比べて１／２と大幅な短縮ができる。
【００６６】
以上から、本発明の請求項１および２に記載の泡洗浄式洗濯装置は、水の使用量と洗剤使用量が大幅に少なく、排水の河川・湖沼・海への悪影響が極めて少なく、環境保全に適した装置であるといえる。また、総排水量が少ないため、洗浄排水の浄化等の処理費用が大幅に削減され、従来、原子力発電所等の作業服等の水洗浄は排水処理に多額の費用がかかるとの理由で使われなかったが、本発明により排水処理費用が軽減され、汗の匂いが消えるなど優れた効果のある水洗浄を可能にする。
【００６７】
また、洗濯物は泡の中で攪拌され洗濯物の吸収水分量が少なく洗濯物は極めて軽く、ドラム内壁への洗濯物の衝突衝撃が軽減され、洗濯物の伸び傷みや縮みや型くずれを殆ど発生しない。つまり泡洗浄式洗濯装置は、ドライマーク衣料の水洗浄も可能である。
【００６８】
本発明の請求項３においては、ドラム開閉扉部分に流体噴射部を追加し、泡供給系統と流水供給系統の管路をその流体噴射部に接続する構成にしたので、従来のドラム型洗濯機の構成部材の利用が可能で且つ従来のドラム型洗濯機部分的改造を加えることで簡単に泡洗浄式洗濯装置が製造可能で、製造コストを低減する効果がある。
【００６９】
本発明の請求項４は、本発明の泡洗浄式洗濯装置のドラム内面に突部を形成するものであるが、突部形成により第１洗浄時における洗濯物の攪拌効果をより一層向上させ、洗濯物全面に泡の付着を促進することができる。一方、本発明の請求項５に記載の様にすると、第１洗浄時にドラムの回転を正逆交互に繰り返すことが可能となり、上記と同様な効果が得られる。
【００７０】
本発明の請求項６は、流体供給系統先端を供給流水が拡散供給される形態にするものであるが、こような形態にすると泡と流水がドラムの長手方向全域に均等に拡散供給されるため、洗浄や濯ぎ効果の場所によるバラツキを無くする効果がある。
【００７１】
本発明の請求項７は、ドラムの回転遠心力でドラム内の空気が外方に排出され内圧低下を生じないよう、第２洗浄工程中にドラム内に空気を供給して内部を大気圧に近づけまたは大気圧以上に保つものである。これにより、ドラム内の濯ぎ水が遠心力で洗濯物の繊維組織間などの狭い隙間を透過しやすくし、半径方向外側に向かう濯ぎ水の水流の勢いを増し、解離した汚れ成分等をより一層効率よく押し流すことができる。
【００７２】
本発明の請求項８は寒冷地や冬季の使用に対する対策に関するもので、泡供給系統に加熱装置を備えると、洗剤の種類に合わせて良好な洗浄力が発揮される温度域で洗濯が行えるようになり、且つ泡の生成を適温で効果的に行うことができる。一方、流水供給系統に加熱装置を備えると第２洗浄時の濯ぎ水の温度を高めることができ、濯ぎ洗浄を促進させることができる。また加熱装置を備えることにより、冬季や寒冷地対策に留まらず、油脂汚れなどの溶解性を向上させて洗浄を促進させることが可能となる。
【００７３】
請求項９に記載のように構成すると、製泡過程で泡にオゾンガスを封入して供給することができる。つまり、オゾンガスを利用し洗濯物の除菌と脱臭を行う場合、このような方法でオゾンガスを供給するとオゾンガスを洗濯物全体に隅々まで均等に届けることができ、その気泡が洗濯物表面で破裂するとオゾンガスが洗濯物に直接作用し、オゾンガスの作用効果を最大限に利用できる。つまり、本発明のオゾンガス供給方法は、オゾンガス供給量は僅かでよく、オゾンガス発生装置も小容量でよい。なお、オゾンガスには漂白作用もあるので、白色洗濯物の洗浄においては漂白促進にも優れた作用効果がある。
【００７４】
請求項１０に記載のように構成すると、電解液には洗液を軟水化させ洗剤の界面活性を向上する作用と酸化作用があり、電解液を含む洗液から生成した泡を洗濯物に供給すると、洗浄をより一層促進させるとともに酸化漂白や除菌も行うことができる。つまり、電解液を用いることにより洗剤使用量を更に減らすことも可能となる。
【００７５】
本発明の請求項１１に記載の構成にすることにより、本発明の泡洗浄式洗濯装置を用いて従来方式の洗濯を行うことも可能となる。
つまり、この従来方式の洗濯を行うには、外胴の排水口を閉じてドラムに洗濯物を投入して開閉扉を閉め、製泡装置を迂回して洗液を直接ドラムに供給するかまたは水と適当量の洗剤をドラムに供給し、ドラム内の洗液を適正レベルにした状態でドラムを低速回転して第２洗浄し、つぎに排水口を開いて中間脱水し、更に排水口を閉じて給水して低速回転による濯ぎを行い、この中間脱水と濯ぎを２回繰り返した後排水口を開き脱水を行えばよい。
【００７６】
本発明に係る泡洗浄式洗濯装置は、洗浄開始から脱水までの全行程所要時間が従来の約半分でよいから生産性が倍増し、また、使用総水量が約１／３で且つ洗剤使用量も少なくとも１／４以下となる。そのためランドリー工場に導入した場合は大幅なコストダウンが可能で大きな経済効果があり、また環境汚染低減においても著しい効果がある。
【図面の簡単な説明】
【図１】本発明の洗濯方法を実現するための洗濯装置の実施例を示し、装置の全体構成を展開して模式的に示す図である。
【図２】図１の洗濯装置のうち泡洗浄式ドラム型洗濯機の部分を示し、第１洗浄時の作動状態を示す図である。
【図３】図１の洗濯装置のうち泡洗浄式ドラム型洗濯機の部分を示し、第２洗浄時の作動状態を示す図である。
【図４】洗濯の作業工程を示し、（ａ）は本発明に係る泡洗浄式洗濯装置の作業工程、（ｂ）は従来の洗浄装置の作業工程をそれぞれ示す。
【図５】本発明に係る泡洗浄式洗濯装置の具体的組立構成例の側面図でドラム部を断面にして示している。
【図６】図５の泡洗浄式洗濯装置の正面図である。
【符号の説明】
１　洗濯装置
１ａ　本体フレーム
１ｂ　弾性支持部材
１ｃ　弾性体
２　ドラム型洗濯機
３　外胴
３ａ　開口
３ｂ　排水口
４　ドラム
４ａ　開口
４ｂ　ドラム内部
４ｃ　透孔
５　開閉扉
６ａ　排水口開閉手段
７　可変速駆動手段
７ａ　モータ
７ｂ　巻き掛け伝動装置
８　駆動軸
９　支持部
９ａ，９ｂ　軸受
１０　供給水管
１１　洗液製造装置
１３，１３ａ　洗液送給管路
１４　洗液ポンプ
１５　製泡装置
１６　製泡器本体
１７　泡送給管路
１８　三方切替弁
１９　迂回路
２０　泡供給系統
２１，２２，２３　流体噴射部
２４，２５，２６　マニホールド
３０　流水供給系統
３２，３２ａ　流水送給管路
３３　流水ポンプ
４０　空気供給系統
４１　空気分配器
４２，４２ａ　送気管
４４，４４ａ　空気送給管路
５０　オゾンガス供給手段
５３，５３ａ　オゾンガス送給管路
５４　オゾンガス送給装置
６０　電解液供給手段
６３　電解液送給管路
６５　電解液送給ポンプ
７０　制御盤
７１，７２　制御ケーブル
７５，７７　加熱装置
【図１】
2004000537.tif 000004
【図２】
2004000537.tif 000005
【図３】
2004000537.tif 000006
【図４】
2004000537.tif 000007
【図５】
2004000537.tif 000008
【図６】
2004000537.tif 000009